(57)【要約】      （修正有）【課題】設置が容易で、運転コストも低く抑えることができ、蛍等の水質のよい環境にのみ生息する水生動物の生育に適した水生動物生育用水槽を提供する。【解決手段】トルマリンを担持するとともに、連続気泡を有する粒子状樹脂を封入した活水装置４と、活水装置４を通過した水を貯留する水槽２と、水槽２に貯留された水を該水槽２内で循環させる循環装置７〜１０とを備え水生動物生育用水槽１を形成する。活水装置４を通過した水は、アルカリ化するとともに、ＯＲＰが低下し、水生動物の生育に適した状態となり、蛍等の水質のよい環境にのみ生息する水生動物を生育することができる。循環装置７〜１０は、泡状の空気及び水を前記水槽２内で循環させ、溶存酸素量を増加させることで、さらに水生動物の生育に適した環境を提供する。【選択図】図１
0003164608.tif 000002
【実用新案登録請求の範囲】
【請求項１】
トルマリンを担持するとともに、連続気泡を有する粒子状樹脂を封入した活水装置と、
該活水装置を通過した水を貯留する水槽と、
該水槽に貯留した水を該水槽内で循環させる循環装置とを備えることを特徴とする水生動物生育用水槽。
【請求項２】
前記循環装置は、泡状の空気及び水を前記水槽内で循環させることを特徴とする請求項１に記載の水生動物生育用水槽。
【考案の詳細な説明】
【技術分野】
【０００１】
本考案は、蛍の幼虫や、カワニナ、タニシ、淡水魚等の水生動物の生育に適した水槽に関する。
【背景技術】
【０００２】
蛍の幼虫等は、水質のよい小川等にしか生息することができないため、現在では、限られた地域でしか蛍等の希少水生動物が見られなくなっている。そこで、水を浄化したり、井戸水等を利用して蛍を生育する試みもなされている。
【０００３】
例えば、特許文献１には、蛍の産卵及び卵の孵化、及び成長した幼虫の蛹化を行うための湿潤した床土と、蛍の幼虫が蛹化して育成される培養水路とを組み合わせた蛍養殖施設が開示されている。
【０００４】
また、特許文献２には、質の低下や溶存酸素量の低下を防いで蛍の幼虫や餌となるカワニナの生育に適し、解体、組立、持ち運びが容易で、規模の拡大や減少が簡単にできる蛍養殖装置として、水槽を階段状に複数設け、蛍の幼虫と餌となるカワニナを入れた水槽内に幼虫の育成に適した水の流れを生じさせ、水の淀みをなくして水質悪化を防ぐとともに、水が落下するときの曝気により溶存酸素量を増加させる蛍養殖装置が提案されている。
【先行技術文献】
【特許文献】
【０００５】
【特許文献１】特開２００５−１２４４６５号公報
【特許文献２】特開２００２−２８１８６５号公報
【考案の概要】
【考案が解決しようとする課題】
【０００６】
しかし、上記特許文献に記載の蛍養殖装置は、大規模なものであり、設置コストが高くなるとともに、保守管理に要するコストも多大なものとなるため、比較的小さな公園や学校の敷地内等に設置するには不適当であるという問題があった。
【０００７】
そこで、本考案は、上記従来の蛍養殖装置等における問題点に鑑みてなされたものであって、設置が容易で、運転コストも低く抑えることができ、蛍等の水質のよい環境にのみ生息する水生動物の生育に適した水生動物生育用水槽を提供することを目的とする。
【課題を解決するための手段】
【０００８】
上記目的を達成するため、本考案は、水生動物生育用水槽であって、トルマリンを担持するとともに、連続気泡を有する粒子状樹脂を封入した活水装置と、該活水装置を通過した水を貯留する水槽と、該水槽に貯留した水を該水槽内で循環させる循環装置とを備えることを特徴とする。
【０００９】
そして、本発明によれば、トルマリンを担持し、連続気泡を有する粒子状樹脂を封入した活水装置を通過した水は、アルカリ化するとともに、ＯＲＰが低下し、水生動物の生育に適した状態となり、蛍等の水質のよい環境にのみ生息する水生動物を生育することができる。また、水槽に貯留された水を水槽内で循環させることで、水の滞留を防止し、水質の劣化を防止することができる。
【００１０】
前記水生動物生育用水槽において、前記循環装置は、泡状の空気及び水を前記水槽内で循環させることができる。これにより、溶存酸素量が増加し、さらに水生動物の生育に適した環境を提供することができる。
【考案の効果】
【００１１】
以上のように、本考案によれば、比較的小さな公園等に好適に設置することができ、設置コスト及び保守管理コストも低く抑えることのできる水生動物生育用水槽を提供することができる。
【図面の簡単な説明】
【００１２】
【図１】本考案にかかる水生動物生育用水槽の一実施の形態を示す概略図であって、（ａ）は平面図、（ｂ）は一部破断正面図である。
【図２】図１の水生動物生育用水槽の泡発生部を示す正面図である。
【考案を実施するための形態】
【００１３】
次に、本考案を実施するための形態について、図面を参照しながら詳細に説明する。
【００１４】
図１は、本考案にかかる水生動物生育用水槽の一実施の形態を示し、この水生動物生育用水槽１は、水槽本体（以下「水槽」と略称する）２と、井戸水を汲み上げるポンプ３と、汲み上げられた井戸水を活性化させる活水装置４と、活性化された井戸水を水槽２に供給する給水管５と、水槽２に貯留した水を水槽２内で循環させるための圧縮空気を発生させるコンプレッサ７と、コンプレッサ７の吐出管８の先端部に取り付けられた泡発生部９と、水槽２の内部に配置された循環用配管１０等で構成される。
【００１５】
水槽２は、平面視矩形状の深さ５０ｃｍ〜１ｍ程度の水槽であって、平面寸法は１ｍ×１０ｍ程度とすることができる。水槽２の寸法は、設置場所に応じて適宜調整することができる。
【００１６】
活水装置４は、ポンプ３で汲み上げられた井戸水を活性化させるために備えられる。活水装置４の内部には、トルマリンを担持した粒状の樹脂が５０ｋｇ程度充填され、粒子状樹脂の間を井戸水が通過して井戸水が活性化される。
【００１７】
上記樹脂は、次のようにして製造することができるが、以下の製造方法は例示であって、これに限定されるものではない。
【００１８】
３２５メッシュ程度のトルマリン及びポリプロピレンを、１対２０の重量割合で混合し、混合物と水とを、さらに、２０対１の割合で混ぜ合わせ、混練機に投入し、圧力約５０ｋｇ／ｃｍ2、１５０〜２００℃の温度で混練する。すると、トルマリンがポリプロピレンに担持されるとともに、樹脂内において水が蒸発することによって気泡が発生する。そして、樹脂の外側から真空を利用して樹脂内に封入された水蒸気を吸引すると、水蒸気が吸引された後に連続気泡が形成される。これらの工程を経て成形した樹脂を、粉砕機で粒径２０ｍｍ程度に粉砕することにより、トルマリンを担持し、連続気泡を有する粒子状の樹脂を得ることができ、この粒子状樹脂を活水装置４に利用することができる。
【００１９】
コンプレッサ７の吐出管８の先端部に取り付けられた泡発生部９は、図２に示すように、多数の小さな連続気泡を備えた樹脂からなり、水中に置かれた泡発生部９をコンプレッサ７からの圧縮空気が通過することで水中に泡が噴出し、これに伴って泡発生部９付近の水が循環用配管１０を通って反対側の端部より気泡とともに噴出し、水槽２内の水が循環する。
【００２０】
次に、上記構成を有する水生動物生育用水槽１の使用方法について、図１を参照しながら説明する。
【００２１】
ポンプ３を運転して井戸水を汲み上げ、活水装置４内を通過させた後、給水管５を介して水槽２内に貯留する。ある程度水が溜まった状態でコンプレッサ７を運転し、泡発生部９から泡を噴出させて泡発生部９付近の水を循環用配管１０の反対側の端部より気泡とともに噴出させ、水槽２内の水を循環させて水の滞留を防止するとともに、水槽２内の水の溶存酸素量を増加させ、水生動物の生育に適した環境とする。
【００２２】
表１に示すように、水のｐＨは、汲み上げられた井戸水（原水）、この井戸水を活水装置４で処理した水（処理水）、水槽２内に貯留され循環する水（循環水）の順に大きくなり、ＯＲＰは、原水、処理水、循環水の順に小さくなっている。また、亜硝酸イオンについても、原水よりも処理水の方が低く、水生動物の生育により適した水となっている。
【００２３】
【表１】
0003164608.tif 000003
【００２４】
上記水槽２内で蛍の幼虫や、カワニナ、タニシ、淡水魚等の水生動物を生育させる。生育中は、水槽２内の水のレベルが低下した場合にのみポンプ３を運転して井戸水を汲み上げ、活水装置４内を通過させた後、給水管５を介して水槽２内に供給する。一方、生育中は、常にコンプレッサ７を運転し、水槽２内の水を循環させて水の滞留を防止し、水槽２内の水の溶存酸素量の低下を防止する。
【００２５】
これまで、井戸水だけでは生育しなかった蛍の幼虫を、上記水生動物生育用水槽１を用いて上述の要領で飼育したところ５ヶ月半余り問題なく生育した。
【符号の説明】
【００２６】
１  水生動物生育用水槽
２  水槽（本体）
３  ポンプ
４  活水装置
５  給水管
６  カバー
７  コンプレッサ
８  吐出管
９  泡発生部
１０  循環用配管
【図１】
0003164608.tif 000004
【図２】
0003164608.tif 000005